(57)【要約】  アンカー基板の頂面と底面との間で延在する少なくとも１つの貫通穴を有するアンカー基板を含む、組み合わされたアンカー及び締結具。細長い支柱は、アンカー基板に連結され、支柱の第１の端部と第２の端部との間で延在する、機械的締結具を受け入れるための少なくとも部分的にねじが切られた内部円筒穴を有し、その上、支柱内部穴は、基板の貫通穴と整合されて合致している。支柱は、アンカー基板の底面が、支柱の第２の端部部分によって覆われる部分を除いて、コンクリート構造物の一部に当接して略面一となるように構成されるような、アンカー基板の底面から垂下する第２の端部部分を含む。本開示は、さらなる実施形態、並びに、物体をコンクリート構造物に固定して締結する方法を含む。【選択図】図１０ａ
2021535301.tif 000002
【特許請求の範囲】
【請求項１】
物体をコンクリート構造物に固定するための組み合わされたアンカー及び締結組立体において、
頂面及び底面、並びに、その前記頂面から前記底面まで延在する少なくとも１つの貫通穴を有するアンカー基板と、
第１の端部及び第２の端部、並びに、機械的締結具をその中に受け入れるための少なくとも部分的にねじが切られた円筒状の内部穴を有する、前記アンカー基板に連結された細長い支柱であって、前記内部穴が、前記支柱の前記第１の端部から少なくとも前記支柱の前記第２の端部の方へ延在し、前記アンカー基板貫通穴と整合されて合致しており、前記支柱が、前記アンカー基板の前記底面から垂下する第２の端部部分を有し、前記アンカー基板の前記底面が、前記支柱によって覆われる前記アンカー基板の前記底面の領域を除いて、前記コンクリート構造物の少なくとも一部が前記アンカー基板の前記底面に当接して略面一となることを可能とするように構成されている、細長い支柱と、
前記アンカー基板をコンクリート構造物に固定するための手段と、を備える、組み合わされたアンカー及び締結組立体。
【請求項２】
前記支柱穴が、前記支柱の前記第２の端部部分に延びる、請求項１に記載の組み合わされたアンカー及び締結組立体。
【請求項３】
前記穴が有底穴であり、前記支柱の前記第２の端部部分に閉じた底端部を有する、請求項２に記載の組み合わされたアンカー及び締結組立体。
【請求項４】
前記支柱第２の端部部分が、前記固定するための手段としての役割を果たす、請求項３に記載の組み合わされたアンカー及び締結組立体。
【請求項５】
前記第２の端部部分が、雄ねじが切られている、請求項４に記載の組み合わされたアンカー及び締結組立体。
【請求項６】
前記第２の端部部分が、前記第２の端部部分に対してある角度をなして配設された底端部分を有する、請求項４に記載の組み合わされたアンカー及び締結組立体。
【請求項７】
前記支柱が、略Ｌ字状の形状を有する、請求項６に記載の組み合わされたアンカー及び締結組立体。
【請求項８】
前記基板穴が、円筒状で、雌ねじ付きであり、前記ねじ付き支柱内部穴と結合する、請求項６に記載の組み合わされたアンカー及び締結組立体。
【請求項９】
前記支柱内部穴が、円筒状であり、前記支柱の前記第１の端部から前記第２の端部まで延在する貫通穴であり、前記固定するための手段が、前記支柱の底端部に隣接して前記支柱に装着される、請求項２に記載の組み合わされたアンカー及び締結組立体。
【請求項１０】
前記固定するための手段が、前記支柱の底端部の前記ねじ付き支柱内部穴に螺合可能に受入れ可能なねじ付きボルトと、前記支柱より大きい直径を有する、前記支柱上に装着されるワッシャとを備える、請求項９に記載の組み合わされたアンカー及び締結組立体。
【請求項１１】
前記支柱が、前記アンカー基板の前記頂面の上に延在する前記第１の端部部分を有する、請求項１に記載の組み合わされたアンカー及び締結組立体。
【請求項１２】
前記支柱の前記第１の端部の前記支柱穴が、少なくとも部分的にねじが切られている、請求項４に記載の組み合わされたアンカー及び締結組立体。
【請求項１３】
前記支柱穴が、前記アンカー基板の前記穴に隣接して配設される、閉じた底端部を有する有底穴である、請求項１２に記載の組み合わされたアンカー及び締結組立体。
【請求項１４】
前記支柱が、少なくとも部分的に雄ねじが設けられている、請求項１に記載の組み合わされたアンカー及び締結組立体。
【請求項１５】
前記アンカー基板が、フランジを備える、請求項１に記載の組み合わされたアンカー及び締結組立体。
【請求項１６】
前記フランジが、略円形の平面フランジである、請求項１５に記載の組み合わされたアンカー及び締結組立体。
【請求項１７】
貫通穴を有する多角形形状のナットが、前記基板の前記頂面に取り付けられ、その貫通穴が、前記基板の有底穴と軸方向に整合されて合致する、請求項１５に記載の組み合わされたアンカー及び締結組立体。
【請求項１８】
前記多角形形状のナットが、六角形のナットである、請求項１７に記載の組み合わされたアンカー及び締結組立体。
【請求項１９】
前記支柱が、開いた頂端部と開いた底端部とを有する貫通穴を有する細長い管状首部分をさらに含み、その前記底部開端部が、前記基板の前記頂面に取り付けられ、その貫通穴が、前記基板の有底穴と軸方向に整合されて合致する、請求項１に記載の組み合わされたアンカー及び締結組立体。
【請求項２０】
前記首部分の前記貫通穴が、少なくとも部分的にねじが設けられている、請求項１９に記載の組み合わされたアンカー及び締結組立体。
【請求項２１】
前記有底穴が、長手方向に延在する軸を有し、前記組立体が、前記有底穴の前記軸を中心に前記アンカーを回転させるための手段をさらに含む、請求項７に記載の組み合わされたアンカー及び締結組立体。
【請求項２２】
前記回転させるための手段が、前記アンカーを支持構造物内に回転させるためのツールに適合するように構成されて、寸法決めされた、細長い首部分の開いた頂端部に隣接して、その中に形成されたポートを備える、請求項２１に記載の組み合わされたアンカー及び締結組立体。
【請求項２３】
前記穴が、長手方向に延びる軸を有する有底穴であり、前記組立体が、前記有底穴の前記軸を中心に前記アンカーを回転させるための手段をさらに含む、請求項１に記載の組み合わされたアンカー及び締結組立体。
【請求項２４】
前記回転させるための手段が、前記有底穴の開いた頂端部に隣接して、その中に形成されたポートを備える、請求項２３に記載の組み合わされたアンカー及び締結組立体。
【請求項２５】
ポートが、平頭ねじスロットとして構成されて、寸法決めされる、請求項２３に記載の組み合わされたアンカー及び締結組立体。
【請求項２６】
ポートが、アレンキーポートとして構成されて、寸法決めされる、請求項２３に記載の組み合わされたアンカー及び締結組立体。
【請求項２７】
有底穴を用いて物体を前記アンカー基板に締結するための手段をさらに含む、請求項１に記載の組み合わされたアンカー及び締結組立体。
【請求項２８】
締結するための手段が、直線状縁部を有するねじ付きボルトである、請求項１５に記載の組み合わされたアンカー及び締結組立体。
【請求項２９】
前記アンカー基板を支持構造物に締結するための手段をさらに含み、前記アンカー基板の前記底面が、前記支柱によって覆われた前記底面の領域を除いて、前記支持構造物の少なくとも一部に対して略面一となる、請求項１に記載の組み合わされたアンカー及び締結組立体。
【請求項３０】
前記支柱が、前記アンカー基板の前記穴に少なくとも部分的に受入れ可能である縮径首部分を有する、請求項１に記載の組み合わされたアンカー及び締結組立体。
【請求項３１】
締結するための手段が、前記支柱に螺合可能に受入れ可能なナットを備える、請求項１４に記載の組み合わされたアンカー及び締結組立体。
【請求項３２】
物体をコンクリート構造物に固定するためのアンカープラットフォーム組立体において、
略平面状の第１の面及び第２の面、並びに、前記第１の面から前記第２の面まで延在する少なくとも１つの貫通穴を有する第１の部材と、
前記第１の部材に連結されて、前記第１の部材の前記貫通穴を少なくとも部分的に通って延在し、前記第１の部材の前記第１の面から外向きに突出する、少なくとも１つの細長い第２の部材であって、前記第２の部材が、第１の端部及び第２の端部、並びに、少なくとも部分的にねじが切られた、その前記第１の端部から少なくとも前記第２の端部の方へ延在する内部円筒穴を有し、前記第１の部材の前記第１の面が、前記第２の部材によって覆われる前記第１の面の領域を除いて、前記コンクリート構造物が前記第１の部材の前記第１の面に対して略面一となることを可能とするように構成されている、少なくとも１つの細長い第２の部材と、を備えるアンカープラットフォーム組立体。
【請求項３３】
物体を構造物に固定するためのアンカープラットフォーム組立体システムにおいて、
略平面状の第１の面及び第２の面、並びに、前記第１の面から前記第２の面まで延在する少なくとも１つの貫通穴を有する第１の部材と、
前記第１の部材に連結されて、前記第１の部材の前記貫通穴を少なくとも部分的に通って延在し、少なくとも前記第１の部材の前記第１の面から外向きに突出する、少なくとも１つの細長い第２の部材であって、前記第２の部材が、第１の端部及び第２の端部、並びに、その中に形成された、その前記第１の端部から前記第２の端部まで延在する内部円筒状貫通穴を有し、前記第１の部材の前記第１の面が、前記第２の部材によって覆われる前記第１の面の領域を除いて、前記構造物が前記第１の部材の前記第１の面に対して略面一となることを可能とするように構成されている、少なくとも１つの細長い第２の部材と
を備える、アンカープラットフォーム組立体システム。
【請求項３４】
一対のチューブであって、液体が、アンカーの第２の部材の貫通穴を介して、前記チューブの一方から他方へ流れることができるように、その一方が前記第２の部材の前記第１の端部に連結され、前記第２の部材の前記第２の端部に連結された他方の１つ、一対のチューブをさらに含む、請求項３３に記載のアンカープラットフォーム組立体。
【請求項３５】
物体をコンクリート構造物に固定する方法であって、
頂面及び底面、並びに、その前記頂面から前記底面まで延在する少なくとも１つの貫通穴を有するアンカー基板と、
第１の端部及び第２の端部、並びに、機械的締結具をその中に受け入れるための少なくとも部分的にねじが切られた円筒状の内部穴を有する、前記アンカー基板に連結された細長い支柱であって、前記内部穴が、前記支柱の前記第１の端部から少なくとも前記支柱の前記第２の端部の方へ延在し、前記アンカー基板貫通穴と整合されて合致しており、前記支柱が、前記アンカー基板の前記底面から垂下する第２の端部部分を有し、前記アンカー基板の前記底面が、前記支柱によって覆われる前記アンカー基板の前記底面の領域を除いて、前記コンクリート構造物の少なくとも一部が前記アンカー基板の前記底面に当接して略面一となることを可能とするように構成されている、細長い支柱と、
前記アンカー基板をコンクリート構造物に固定するための手段と
を有するタイプの組み合わされたアンカー及び締結組立体を利用する、物体をコンクリート構造物に固定する方法において、
（ａ）前記アンカー基板がコンクリートの頂面に隣接するように、前記アンカー及び締結組立体をコンクリート内に置くステップと、
（ｂ）前記組立体を前記コンクリート内に固定するステップと、を含む方法。
【請求項３６】
前記ステップ（ａ）が、前記コンクリートが硬化する前に実行される、請求項３５に記載の方法。
【請求項３７】
前記ステップ（ｂ）が、前記コンクリートが硬化する前に、支柱の少なくとも一部を前記コンクリートに挿入することによって実行される、請求項３５に記載の方法。
【請求項３８】
前記ステップ（ｂ）が、略Ｌ字状の構成を有する、前記アンカー基板から垂下する下部分を支柱に設けることによって実行される、請求項３７に記載の方法。
【発明の詳細な説明】
【技術分野】
【０００１】
関連出願
本出願は、２０１８年２月２０日に出願された米国仮特許出願第６２／６３２，４５３号、２０１８年４月６日に出願された米国仮特許出願第６２／６５３，６９４号、２０１８年８月３０日に出願された米国仮特許出願第６２／７２４，８９１号、及び、２０１８年９月４日に出願された米国仮特許出願第６２／７２６，６５９号の利益を主張し、順に、２０１７年１２月２２日に出願された非仮特許出願第１５／８５２，７３３号の継続出願である、順に、２０１８年１２月１３日に出願された米国ＰＣＴ出願ＰＣＴ／ＵＳ／２０１８／０６５４６５号の一部継続出願である、順に、２０１９年２月１９日に出願された米国ＰＣＴ／ＵＳ２０１９／０１８５９２号の一部継続出願である、２０１９年４月５日に出願された米国ＰＣＴ出願ＰＣＴ／ＵＳ２０１９／０２６０５８号の一部継続出願であり、そのそれぞれは、それを参照することにより本明細書に組み込まれる。
【０００２】
発明の背景
１．発明の分野
[001]  本発明は一般に、締結具及びアンカーの分野に関し、建設業界に特に有用である。本発明は特に、強固な結合をもたらし、容易且つ迅速な設置及び防水性能を提供する、コンクリート基礎に締結されたシルプレートなどの、付属構造物又は付属品をコンクリート及び組積支持構造物に固定するための、組み合わされたアンカー及び締結具組立体、並びにそれを用いる方法に関する。
【背景技術】
【０００３】
２．先行技術の簡単な説明
[002]  シルプレートなどの付属品又は付属構造物などを、たとえば、コンクリート基礎壁、隔壁、屋根などに取り付けるさまざまな方法が、よく知られている。建設業界では、特に、雨押えが組み込まれない及び／又はシーラントのみに依存する場合に、設備又は建物取付箇所での水の浸入に関する多くの問題が生じている。さまざまな被覆方法及びその組合せは、通常は、太陽電池パネル、衛星放送受信アンテナ、及びＨＶＡＣ設備などが完全に設けられた後の、注入されたセメント或いは組積基礎又は壁に装着及び締結されるシルプレートなどのような付属品のための防水及び防湿バリアとして使用されている。今日、ガラス壁及び／又は手摺は、特に、屋根デッキ、バルコニー、テラスなどに対して、たとえば、通常、木製、ケーブル、又は金属フェンスの場合のように、障害物を視認できないようにするために、非常に一般的である。一般的に重いこれらの構造物も屋根構造物に固定しなければならないが、これらの構造物が発生させる荷重と、典型的にはアンカーが屋根にボルトで固定された状態で、構造物が装着される方法のため、これらの構造物は、水の浸透を防止する目的で導管を密封するために接着剤及び糊がよく使用されるという事実にもかかわらず、水が屋根に浸透するための「導管」を作り出す。実際には、時間が経つにつれて、これらの重い構造物は、たとえば、沈下、温度変化、及び／又は強風によって引き起こされる通常の反復的な屋根の移動又はずれの結果として、使用される接着剤又は糊に亀裂を生じさせ、最終的に屋根の雨漏りを生じさせる。結果として、設置者の多くは、そのような従来の固定システムによって生じる水又は湿気による損害に対する保証を提供すること又は保険に加入することが困難である。
【０００４】
[003]  出願人の米国出願第１５／８５２，７３３号では、出願人は、屋根、屋根デッキ、バルコニーなどに、太陽電池パネル、ＨＶＡＣ設備、及び屋根手摺などの屋根設備、付属構造物などを装着して防水するために特に意図される、アンカー基板と、アンカー基板から垂下する支柱であって、意図された「固定する」構造物支持部に又は構造物支持部を通して受入れ可能である、支柱と、少なくとも、基板を通過して支柱に入る部分的にねじが切られた有底穴とを備える、新規のアンカー及び締結組立体を提案することによってこの問題に対処した。ボルトなどの締結具は、物体を組立体に締結するための有底穴に受入れ可能である。上記のように、組立体は、たとえば、太陽電池パネル、ＨＶＡＣ、又は他の屋根設備を屋根又は他の建物構造物にしっかりと固定するのに使用することができる。本発明は、この新規のアンカー及び締結具組立体に、一体化されたねじ又はボルトアンカーとして支柱を構成することによって、硬化及び未硬化両方のコンクリート構造物のために特に意図される改善を提供し、同時に、強固且つ頑強な結合及び防水性能をさらにもたらす。
【０００５】
[004]  さらに、曲折端部の反対側の端部にねじ山を有する、Ｊ形ボルトと一般に呼ばれる現場打ちアンカーは、セメントが硬化した後に、又は、コンクリートブロックに使用される、いわゆる楔形アンカーとは対照的に、シルプレートのより良好な保持を提供するためにＪ形ボルトを硬化前のまだ湿潤なセメントに手動で個々に挿入することを必要とする、注入された基礎などへのシルプレートの取付けのために一般に使用される。しかしながら、Ｊ形ボルトは、その上に装着されるシルプレートとＪ形ボルト自体を整合させるために、セメント板に垂直に、特定の高さで、正確に置かなければならなく、これは、時間を浪費する、退屈で困難な、高コストの作業である。
【０００６】
[005]  本発明は、このような問題を有利に且つ効果的に回避する新規の固定及び締結具システムを提供することによって、この問題を克服することを目指している。
【０００７】
[006]  したがって、本発明の目的は、多種多様な用途のために使用可能であり、特に、設備及び／又は付属構造物のコンクリート構造物、組積などへの固定を意図し、重荷重に対処し、外部の強固な結合、容易且つ迅速な設置をもたらし、必要に応じて、付属品取付箇所に防水保護を提供することができる、新規のアンカープラットフォーム組立体、特に、組み合わされたアンカー及び締結具組立体を提供することである。
【０００８】
[007]  本発明のさらなる目的は、設計及び施工が比較的単純で、比較的安価に作ることができるような新規のアンカープラットフォーム組立体を提供することである。
【０００９】
[008]  本発明のさらなる目的は、コンクリート基礎、壁、デッキ、屋外バルコニー、テラス、加熱コンクリート床などを含む、さまざまなコンクリート及び組積構造物に使用可能であるような新規のアンカープラットフォーム組立体及びそれを用いる方法を提供することである。
【００１０】
[009]  本発明のより詳細な目的は、付属品及び設備取付箇所に防水接続をもたらす上で先行技術のシステムよりも信頼性が高いような新規のアンカープラットフォーム組立体を提供することである。
【００１１】
[010]  本発明のなおさらなる目的は、とりわけ、シルプレート、安全柵、避雷針、アンテナ、太陽電池パネル、衛星放送受信アンテナ、安全柵、ガラス手摺、ＨＶＡＣ暖房及び空調設備、装飾彫刻、祝祭日の装飾などを含む、多数の多種多様な付属構造物の固定、装着、及び／又は防水に広く適用可能であるような新規のアンカープラットフォームを提供することである。
【発明の概要】
【００１２】
発明の概要
[011]  前述の及び関連する目的のいくつかは、物体をコンクリート構造物に固定するためのアンカープラットフォーム組立体であって、頂面及び底面と、その前記頂面から前記底面まで延在する少なくとも１つの貫通穴とを有するアンカー基板を備えるアンカープラットフォーム組立体を提供することによって、本発明に従って達成される。細長い支柱は、前記アンカー基板に連結され、第１の端部及び第２の端部と、機械的締結具をその中に受け入れるための少なくとも部分的にねじが切られた内部円筒穴とを有する。内部穴は、前記支柱の前記第１の端部から少なくとも前記支柱の前記第２の端部の方へ延在し、前記アンカー基板貫通穴と整合され合致している。支柱は、前記アンカー基板の前記底面から垂下する第２の端部部分を有する。前記アンカー基板の底面は、前記支柱によって覆われる前記アンカー基板の前記底面の領域を除いて、コンクリート構造物の少なくとも一部が前記アンカー基板の底面に当接して略面一となることを可能とするように構成される。前記アンカー基板をコンクリート構造物に固定するための手段も提供される。いくつかの実施形態では、アンカープラットフォームシステム及び方法が開示される。
【００１３】
[012]  いくつかの実施形態では、支柱穴は、前記支柱の下端部分に延びる。いくつかの実施形態では、穴は有底穴であり、前記支柱の下端部分に閉じた底端部を有する。いくつかの実施形態では、支柱下端部分は、固定のための手段としての役割を果たす。いくつかの実施形態では、下端部分は雄ねじが切られている。いくつかの実施形態では、下端部分は、下端部分に対してある角度をなして配設された底端部分を有する。いくつかの実施形態では、支柱は、略Ｌ字状の形状を有する。いくつかの実施形態では、基板穴は、円筒状で、雌ねじ付きであり、前記ねじ付き支柱内部穴と結合する。いくつかの実施形態では、支柱内部穴は、円筒状であり、支柱の上端部から底端部まで延在する貫通穴である。固定のための手段は好ましくは、支柱の底端部に隣接して支柱に装着される。
【００１４】
[013]  いくつかの実施形態では、固定のための手段は、支柱の底端部のねじ付き支柱内部穴に螺合可能に受入れ可能なねじ付きボルトを備える。支柱より大きい直径を有するワッシャが、支柱上に装着される。いくつかの実施形態では、支柱は、アンカー基板の前記頂面の上に延在する上端部分を有する。いくつかの実施形態では、支柱穴の上端部は雌ねじ付きである。いくつかの実施形態では、支柱穴は、アンカー基板の穴に隣接して配設された閉じた底端部を有する有底穴である。
【００１５】
[014]  いくつかの実施形態では、支柱は、少なくとも部分的にねじが切られたねじを備える。いくつかの実施形態では、アンカー基板は、フランジを備える。いくつかの実施形態では、フランジは、略円形の平面フランジである。いくつかの実施形態では、貫通穴を有する多角形形状のナットは、基板の頂面に取り付けられ、ナットの貫通穴は、基板の前記有底穴と軸方向に整合されて合致する。いくつかの実施形態では、多角形形状のナットは、六角形のナットである。いくつかの実施形態では、支柱は、開いた頂端部と開いた底端部とを有する貫通穴を有する細長い管状首部分を備える。その底部開端部は、基板の頂面に取り付けられ、その貫通穴は、基板の有底穴と軸方向に整合されて合致する。
【００１６】
[015]  いくつかの実施形態では、首部分の貫通穴は、少なくとも部分的にねじが設けられている。いくつかの実施形態では、貫通穴は、長手方向に延在する軸を有し、組立体は、貫通穴の軸を中心にアンカーを回転させるための手段をさらに含む。回転させるための手段は、アンカーを支持構造物内に回転させるためのツールに適合するように構成されて、寸法決めされた、細長い首部分の開いた頂端部に隣接して、その中に形成されたポートを備える、いくつかの実施形態では、貫通穴は、長手方向に延びる軸を有する有底穴であり、組立体は、有底穴の軸を中心に前記アンカーを回転させるための手段をさらに含む。
【００１７】
[016]  いくつかの実施形態では、回転するための手段は、前記有底穴の開いた頂端部に隣接して、その中に形成されたポートを備える。いくつかの実施形態では、ポートは、平頭ねじスロットとして構成されて、寸法を決められる。いくつかの実施形態では、ポートは、アレンキーポートとして構成されて、寸法を決められる。
【００１８】
[017]  いくつかの実施形態では、組み合わされたアンカー及び締結組立体は、有底穴を用いて物体を前記アンカー基板に締結するための手段を含む。いくつかの実施形態では、締結するための手段は、ねじ付きボルトである。いくつかの実施形態では、組み合わされたアンカー及び締結組立体は、アンカー基板を支持構造物に締結するための手段を含み、アンカー基板の前記底面は、支柱によって覆われた前記底面の領域を除いて、支持構造物の少なくとも一部に対して略面一となる。
【００１９】
[018]  いくつかの実施形態では、支柱は、少なくとも部分的にねじが切られたボルトを備える。いくつかの実施形態では、アンカー基板は、フランジを備える。いくつかの実施形態では、フランジは、略円形の平面フランジである。いくつかの実施形態では、貫通穴を有する多角形形状のナットは、前記基板の頂面に取り付けられ、ナットの貫通穴は、前記基板の有底穴と軸方向に整合されて合致する。いくつかの実施形態では、多角形形状のナットは、六角形のナットである。
【００２０】
[019]  いくつかの実施形態では、組み合わされたアンカー及び締結組立体は、開いた頂端部と開いた底端部とを有する貫通穴を有する細長い管状首部分を含む。首部分の底部開端部は、基板の頂面に取り付けられ、その貫通穴は、基板の有底穴と軸方向に整合されて合致する。首部分の貫通穴は、少なくとも部分的にねじが設けられている。首部分貫通穴は、有利なことには、長手方向に延びる軸を有する有底穴であり、組立体は、有底穴の軸を中心にアンカーを回転させるための手段をさらに含む。
【００２１】
[020]  いくつかの実施形態では、回転させるための手段は、アンカーを支持構造物内に回転させるためのツールに適合するように構成されて、寸法決めされた、細長い首部分の開端部に隣接して、その中に形成されたポートを備える。いくつかの実施形態では、有底穴は、長手方向に延在する軸を有し、組立体は、有底穴の軸を中心に前記アンカーを回転させるための手段をさらに含む。いくつかの実施形態では、回転するための手段は、有底穴の開いた頂端部に隣接して、その中に形成されたポートを備える。いくつかの実施形態では、ポートは、平頭ねじスロットとして構成されて、寸法を決められる。いくつかの実施形態では、ポートは、アレンキーポートとして構成されて、寸法を決められる。
【００２２】
[021]  いくつかの実施形態では、組み合わされたアンカー及び締結組立体は、有底穴を用いて物体をアンカー基板に締結するための手段を含む。最も望ましくは、物体を締結するための手段は、ねじ付きボルトを備える。
【００２３】
[022]  いくつかの実施形態では、組み合わされたアンカー及び締結組立体は、前記アンカー基板を支持構造物に締結するための手段を含み、アンカー基板の前記底面は、前記支柱によって覆われた前記底面の領域を除いて、支持構造物の少なくとも一部に対して略面一となる。締結するための手段は、ナットを備える。
【００２４】
[023]  いくつかの実施形態では、アンカープラットフォーム組立体は、略平面状の第１の面及び第２の面、並びに、前記第１の面から前記第２の面まで延在する少なくとも１つの貫通穴を有する第１の部材と、前記第１の部材に連結されて、前記第１の部材の前記貫通穴を少なくとも部分的に通って延在し、前記第１の部材の前記第１の面から外向きに突出する、少なくとも１つの細長い第２の部材であって、前記第２の部材が、第１の端部及び第２の端部、並びに、少なくとも部分的にねじが切られた、その前記第１の端部から少なくとも前記第２の端部の方へ延在する内部円筒穴を有し、前記第１の部材の前記第１の面が、前記第２の部材によって覆われる前記第１の面の領域を除いて、コンクリート構造物が前記第１の部材の前記第１の面に対して略面一となることを可能とするように構成されている、少なくとも１つの細長い第２の部材とを備える。
【００２５】
[024]  本発明の好ましい実施形態では、前記締結するための手段は、直線状縁部を有するねじ付きボルトである。最も有利なことには、前記支柱は、前記アンカー基板の前記穴に少なくとも部分的に受入れ可能である縮径首部分を有する。最も望ましくは、前記締結するための手段は、雄ねじ付き支柱で螺合可能に受入れ可能なナットを備える。
【００２６】
[025]  前述の及び関連する目的のいくつかはまた、たとえば、コンクリート構造物などの構造物に物体を固定するためのアンカープラットフォーム組立体システムであって、略平面状の第１の面及び第２の面、並びに、前記第１の面から前記第２の面まで延在する少なくとも１つの貫通穴を有する第１の部材と、前記第１の部材に連結されて、前記第１の部材の前記貫通穴を少なくとも部分的に通って延在し、前記第１の部材の前記第１の面及び第２の面から外向きに突出する、少なくとも１つの細長い第２の部材であって、前記第２の部材が、第１の端部及び第２の端部、並びに、その中に形成された、その前記第１の端部から前記第２の端部まで延在する内部円筒状貫通穴を有し、前記第１の部材の前記第１の面が、前記第２の部材によって覆われる前記第１の面の領域を除いて、構造物が前記第１の部材の前記第１の面に対して略面一となることを可能とするように構成されている、少なくとも１つの細長い第２の部材と、一対のホースであって、液体が、前記アンカーの第２の部材の貫通穴を介して、前記ホースの一方から他方へ流れることができるように、その一方が前記第１の端部の前記第１の端部に連結され、前記支柱の前記端部に連結された他方の１つ、一対のホースとを備えるアンカープラットフォーム組立体システムを提供することによって、本発明に従って達成される。
【００２７】
[026]  いくつかの実施形態では、略平面状の第１の面及び第２の面と、前記第１の面から前記第２の面まで延在する少なくとも１つの貫通穴を有する第１の部材とを含むアンカープラットフォーム組立てシステムが提供される。少なくとも１つの細長い第２の部材は、前記第１の部材に連結された、そして、前記第１の部材の前記貫通穴を少なくとも部分的に通って延在し、その前記第１の面から外向きに突出する。第２の部材は、第１の端部及び第２の端部と、第２の部材の中に形成された、第２の部材の前記第１の端部から少なくとも前記第２の部材の第２の端部の方へ延在する、内部の少なくとも部分的にねじが切られた円筒状穴とを有する。前記第１の部材の第１の面は、前記第２の部材によって覆われる前記第１の面の領域を除いて、コンクリート構造物が前記第１の部材の前記第１の面に対して略面一となることを可能とするように構成される。ねじ付きボルト及び拡大ワッシャは、前記ねじ付きボルト上に受入れ可能であり、そのボルトは、コンクリート構造物内に前記アンカープラットフォームを固定するために、前記第２の部材の前記第２の端部に螺合可能に受入れ可能である。
【００２８】
[027]  本発明はまた、頂面及び底面、並びに、その前記頂面から前記底面まで延在する少なくとも１つの貫通穴を有するアンカー基板と、第１の端部及び第２の端部、並びに、機械的締結具をその中に受け入れるための部分的にねじが切られた円筒状の内部穴を有する、前記アンカー基板に連結された細長い支柱であって、前記内部穴が、前記支柱の前記第１の端部から前記支柱の前記第２の端部へ延在し、前記アンカー基板貫通穴と整合されて合致しており、前記支柱が、前記アンカー基板の前記底面から垂下する第２の端部部分を有し、前記アンカー基板の前記底面が、前記支柱によって覆われる前記アンカー基板の前記底面の領域を除いて、コンクリート構造物の少なくとも一部が前記アンカー基板の前記底面に当接して略面一となることを可能とするように構成されている、細長い支柱と、前記アンカー基板をコンクリート構造物に固定するための手段とを有するタイプの組み合わされたアンカー及び締結組立体を利用する、（ａ）前記アンカー基板が前記コンクリートの頂面に隣接するように、前記アンカー及び締結組立体をコンクリート内に置くステップと、（ｂ）前記組立体を前記コンクリート内に固定するステップとを含む、物体をコンクリート構造物に固定する方法に関する。
【００２９】
[028]  最も好ましくは、前記ステップ（ａ）は、前記コンクリートが硬化する前に実行される。最も有利なことには、前記ステップ（ｂ）は、前記コンクリートが硬化する前に、前記支柱の少なくとも一部を前記コンクリートに挿入することによって実行される。
【００３０】
図面の簡単な説明
[029]  本発明の他の目的及び特徴は、本発明のいくつかの実施形態を開示する、添付図面との関連で考慮される詳細な説明から明らかになるであろう。図面は、図示の目的でのみ使用されるものであり、本発明の範囲の定義として使用されるものではないことを理解されたい。
【図面の簡単な説明】
【００３１】
【図１】本発明を具現化するアンカープラットフォーム組立体に利用されるアンカー基板の第１の実施形態の頂面及び側面斜視図である。
【図２】図１に示されるアンカー基板の底面及び側面斜視図である。
【図３】屋根デッキに装着された複数の連続的に配置されたアンカー基板を用いて、Ｕ字状チャネル又はシューを有する複数の離間した細長い柵をアンカー基板に固定し、次いで、Ｕ字状チャネル又はシューが装着された一対のガラス手摺である、本発明を具現化するアンカープラットフォーム組立体の第１の実施形態の部分的に図示された斜視図である。
【図４ａ】図３に示されるＵ字状シュー及び屋根デッキに対する位置関係での、図４ａに示されるアンカー基板及びシム板を含むアンカープラットフォーム組立体の分解断面図であり、アンカー基板膜及び屋根膜と、これらとともに用いられる締結手段とを含む、屋根デッキに関連付けられた屋根雨押えをさらに示す。
【図４ｂ】アンカー基板と、柵の高さを調整するための、アンカー基板上の中心に位置する任意選択のシム板の平面図である。
【図４ｃ】Ｕ字状シューを用いてガラス柵が屋根に固定される屋根デッキ上の、完全に装着された状態にある図４ｂに示されるアンカープラットフォーム組立体の断面図であり、雨押え材、締結具、及びこれらとともに用いられる接着剤の使用も示す。
【図５ａ】図４ｂと比較可能であるアンカープラットフォーム組立体の第２の実施形態の分解断面図であるが、幅の狭い首部を備えた雌ねじ付き支柱を有するアンカー基板を示す。
【図５ｂ】図４ｃと比較可能である、完全に装着された状態にある本発明の第２の実施形態の断面図であるが、アンカー基板の中心穴内に着座する幅の狭い首部を備えた雌ねじ付き支柱の使用を示す。
【図６】図４ｂ及び図５ａに示されるものと比較可能であるアンカープラットフォーム組立体の第３の実施形態の分解断面図であるが、雄ねじ付き支柱を有するアンカー基板を示す。
【図７】図４及び５ｂのアンカープラットフォーム組立体と比較可能である完全に装着された状態にあるアンカープラットフォーム組立体の第３の実施形態の断面図であるが、ナットとワッシャとを用いてアンカー基板を屋根デッキの真下から屋根デッキにしっかりと固定する雄ねじ付き支柱を示す。
【図８ａ】本発明による組み合わされたフラッシュスクリューアンカー及び締結具組立体の側面図である。
【図８ｂ】図８ａに示されるフラッシュスクリューアンカー組立体の部分断面の側面図である。
【図８ｃ】図８ａ及び８ｂに示されるフラッシュアンカーフランジ組立体の平面図である。
【図８ｄ】図８ｂに類似した、部分断面の側面図であるが、平頭ねじ回しポートの任意選択の提供を示す。
【図８ｅ】図８ｃに類似した平面図であるが、平頭ねじ回しポートの任意選択の提供を示す。
【図８ｆ】図８ｂ及び８ｄに類似した、部分断面の側面図であるが、アレンキーポートの任意選択の提供を示す。
【図８ｇ】図８ｅに類似した平面図であるが、アレンキーポートの任意選択の提供を示す。
【図８ｈ】本発明のさらなる実施形態による、組み合わされた六角頭スクリューアンカー及び締結具組立体の側面図である。
【図８ｉ】図６に示される六角頭スクリューアンカー組立体の部分断面の側面図である。
【図８ｊ】図８ｂに示される六角頭スクリューアンカー組立体の部分断面の平面図である。
【図８ｋ】本発明の別の実施形態による、組み合わされた首部の長いスクリューアンカー及び締結具組立体の側面図である。
【図８ｌ】図８ｋに示される首部の長いスクリューアンカー組立体の部分断面の側面図である。
【図８ｍ】図８ｌに示される首部の長いスクリューアンカー組立体の斜視図である。
【図９ａ】ねじではなく、中心有底穴を有するボルトを利用する、第１の実施形態に対応するボルトアンカー組立体の、部分断面の側面図である。
【図９ｂ】ねじではなく、中心有底穴を有するボルトを利用する、第２の実施形態に対応するボルトアンカー組立体の、部分断面の側面図である。
【図９ｃ】ねじではなく、中心有底穴を有するボルトを利用する、第３の実施形態に対応するボルトアンカー組立体の、部分断面の側面図である。
【図１０ａ】フラッシュアンカー組立体のさらなる実施形態の、部分断面の側面図である。
【図１０ｂ】注入されたセメント基盤に埋め込まれた、図１０ａに示されるアンカー基板の、部分断面の部分分解側面図であり、アンカー基板上へのシルプレートの装着、及び側壁、及びセメント基盤内の下方のアンカーを有するその上方の関連するボルトと、締結前のその関連するボルトとを示す。
【図１０ｃ】図１０ｂに類似した、部分断面の側面図であるが、シルプレートを通って、アンカー基板の支柱の有底穴に完全に締結されて、受け入れられたボルトを示し、アンカーは、セメント基盤内の支柱の底端部に装着されている。
【図１１ａ】図８ａ〜８ｇに示されるフラッシュアンカー組立体のさらなる実施形態の、部分断面の側面図であるが、注入されたコンクリート構造物での使用を特に意図したＪ形ボルト状アンカーを有する。
【図１１ｂ】注入されたセメント基盤に埋め込まれた、図１１ａに示されるフラッシュアンカーの、部分断面の部分分解側面図であり、締結前の、シルプレート、側壁、及びその上方の関連するボルトの位置決めを示す。
【図１１ｃ】図１１ｂに類似した、部分断面の側面図であるが、シルプレートを通って、フラッシュアンカーの有底穴に完全に締結されて、受け入れられたボルトを示す。
【図１２ａ】図８ｋ〜８ｏに示される首部の長いアンカー基板組立体のさらなる実施形態の、部分断面の側面図であり、注入されたコンクリート構造物での使用を特に意図したＪ形ボルト状アンカーを有する。
【図１２ｂ】注入されたセメント基盤に埋め込まれた、図１２ａに示される首部の長いアンカーの、部分断面の部分分解側面図であり、締結前の、シルプレート側壁、及び、その上方のその関連するボルト、及び、コンクリート基盤内に配置されたその下方のそのＪ型アンカーの位置決めを示す。
【図１２ｃ】図１２ｂに類似した、部分断面の側面図であるが、シルプレートを通って、アンカーの有底穴に締結されて、完全に受け入れられたボルトと、コンクリート基盤に配置されたその下方のそのＪ型アンカーとを示す。
【図１３ａ】首部の長いアンカー組立体の、部分断面の側面図であり、コンクリートで使用するために修正されたねじ山を有する。
【図１３ｂ】図１３ａに示される首部の長いアンカーの平面図である。
【図１３ｃ】図１３ａ及び１３ｂに示されるがコンクリート基礎内に配置された本発明の首部の長いアンカー組立体の部分断面の分解側面図であり、シルプレート及び物体は、コンクリート基礎への固定部のためにその上に配置されている。
【図１３ｄ】注入されたコンクリート基礎に埋め込まれた、図１３ｃに示される本発明の首部の長いアンカー組立体の、部分断面の側面図であり、コンクリート基礎の上のシルプレート及びその上方の側壁及び関連するボルトの装着を示す。
【図１４ａ】木製下張り床上のコンクリート床下地材に埋め込まれた、輻射床暖房システムを対象とした、フラッシュアンカー組立体のさらなる実施形態の、部分断面の分解側面図である。
【図１４ｂ】完全に装着された状態で示される図１４ａに示されるアンカー組立体の、部分断面の側面図である。
【発明を実施するための形態】
【００３２】
好ましい実施形態の詳細な説明
[069]  アンカーシステム及び関連する使用方法の例示的な実施形態は開示して、たとえば、シルプレート、安全柵、避雷針、アンテナ、太陽電池パネル、衛星放送受信アンテナ、安全柵、ガラス手摺、ＨＶＡＣ暖房及び空調設備、装飾彫刻、及び／又は、祝祭日の装飾を含む、多数の多種多様な付属構造物の固定、装着、及び／又は防水に広く適用可能であるアンカープラットフォームに関して論じられる。
【００３３】
[070]  本開示のアンカーシステムは、以下の実施形態の詳細な説明を、本開示の一部を形成する添付の描画図面と関連付けて参照することによって、より容易に理解される。本出願は、本明細書で説明される及び／又は示される特定の装置、方法、条件、又はパラメータに限定されないこと、及び、本明細書で使用される用語は、例示の目的のみで特定の実施形態を説明するためのものであり、限定することを意図しないことが理解されるべきである。また、いくつかの実施形態では、明細書において使用され、添付の特許請求の範囲を含むとき、単数形「a」、「an」、及び「the」は複数のものを含み、特定の数値の参照は、文脈で明らかにそうでないことが示されていない限り、少なくともその特定の値を含む。範囲は、本明細書では、「約（about）」若しくは「ほぼ（approximately）」１つの特定の値から、及び／又は、「約」若しくは「ほぼ」別の特定の値までとして表現されることがある。そのような範囲が表現されるとき、別の実施形態は、一方の特定の値から、及び／又は、他方の特定の値までを含む。同様に、値が、先行詞「約」を使用して、近似値として表現されるとき、その特定の値が別の実施形態を形成することが理解されるであろう。たとえば、水平、垂直、頂部、上部、下部、底部、左、及び右などの、すべての空間的参照は、説明目的だけのものであり、開示の範囲内で変えることができることも理解される。たとえば、参照「上方」及び「下方」は相対的であり、他方に対する文脈においてのみ使用され、必ずしも上位」及び「下位」ではない。
【００３４】
[071]  以下の議論は、アンカーシステム及び関連する構成要素、並びに、本開示の原理に従ってアンカーシステムを用いる方法の説明を含む。代替の実施形態も開示される。添付図に図示されている本開示の例示的な実施形態を、詳細に参照する。図１〜１４ｂを参照すると、本開示の原理に従って、アンカーシステム１０の構成要素が図示されており、物体を支持構造物に固定するための、出願人の上記の米国特許出願第１５／８５２，７３３号及び出願ＰＣＴ／ＵＳ２０１９／０１８５９２号において、より詳細には説明されて、示されるように、多くのさまざまな使用分野に広く適応可能である多種多様な固定用途を特に意図されている。
【００３５】
[072]  図１〜図４ｃを参照すると、屋根、基礎、テラス、バルコニー、階段、壁などの建設分野の構造物で特に有用な、付属構造物を支持構造物に固定するための、全体として参照番号１０で表される、本発明を具現化する新規のアンカープラットフォーム組立体の第１の実施形態が図示されている。アンカープラットフォーム組立体の主要な構成要素は、好ましくはステンレス鋼から作られ（ただし、たとえば、アルミニウム、青銅などの、他の金属から作ることもでる）、正方形又は矩形であり、頂面１２と底面１３とを有する、全体として参照符号１１で表される、アンカー基板である。アンカー基板１１は、雌ねじ付き中心貫通穴１４と、中心穴１４から径方向外側に、基板１１の周縁に略隣接して位置付けられた、６つの離間した周縁貫通穴１５とを有する。本実施形態では、アンカー基板１１はまた、雌ねじ付き穴１７の頂部開端部１８が中心貫通穴１４の底部開端部に当接して底部開端部と合致するように好ましくは溶着によってアンカー基板１１にしっかりと固定される（図４ａ参照）、頂部開端部１８と閉じた底部１９とを有する（図２）軸方向に延在する雌ねじ付き穴１７（図４ｂ参照）を有する好ましくは円筒状の棒又は支柱１６を含む。
【００３６】
[073]  図３に示されるように、アンカープラットフォーム組立体１０のアンカー基板１１は通常、好ましくは、釘、ボルト、又はラグねじの形態の機械的締結要素２０を用いて、全体として２１で表される、屋根デッキなどの屋根構造物に装着され、アンカー基板１１の円筒状支柱１６は屋根デッキ２１を貫通し、円筒状支柱１６の閉鎖端１９は屋根デッキの下に突出している。雌ねじ穴１４及び整合穴１７は、屋根デッキ２１に装着される物体のアンカー箇所としての役割を果たす。この場合、物体は、ガラスパネル２２を有するタイプのガラス手摺であり、下縁部は、細長いＵ字状金属チャネル又はシュー２４内にしっかりと固定されている。図３は、２つのガラスパネル２２及び２つのシュー２４が少なくとも部分的に装着される、連続的に配置され且つ離間した３つのアンカー基板１１を具体的に描いている。使用時に、そのようなガラス手摺は、長さが数百フィートになる可能性がある。理解できるように、各ガラス手摺２２の長さに応じて、図３に示されるように、１つのガラス柵２２につき２つ以上のアンカー基板１１が必要になることがある。
【００３７】
[074]  図４ａ及び図４ｃで最もよく分かるように、細長いＵ字状シュー２４は、複数の離間した貫通穴２５（貫通穴２５の１つが示されている）を有する基壁２３を有する。以下でより詳細に論じられるように、ねじ付きボルト２６、ワッシャ２７などの、平行ねじを有する円筒状機械的締結具が使用され、このボルト２６は、Ｕ字状シュー２４の貫通穴２５を通して受入れ可能であり、さらに、アンカー基板１１を屋根デッキ２１に固定するために、アンカー基板１１の雌ねじ付き中心穴１４及び円筒状支柱又は棒１６の雌ねじ付き有底穴１７（図４ｂ）内に受入れ可能である。閉じた底部１９を有する円筒状支柱１６は、２つの目的を果たす。（１）円筒状支柱１６は、屋根に装着される物体のための比較的頑丈で動かない固定支持箇所を提供する。（２）円筒状支柱１６は、円筒状棒１６の有底穴１７及び底端部１９が閉じられている結果として、水が中央穴１４を通って屋根デッキ２１の内部及び下方に浸透することを防止する。
【００３８】
[075]  図４ｂは、シム板２８の中心貫通穴２９が円筒状支柱１６の内部有底穴１７の直上に位置し且つ内部有底穴１７と合致するようにアンカー基板１１上に装着された、中心貫通穴２９を有する正方形シム板２８の使用を示す。シム板２８は、屋根デッキ２１などの高さにばらつきがあるので、シュー２４の高さを調整して、隣り合うシュー２４及びシュー２４が支持するガラス手摺２２の適切な整合を確実にするために使用される。当然ながら、適切な高さ合わせを達成するために、必要であれば、追加のシム板２８を使用することができる。
【００３９】
[076]  図４ａ及び図４ｃに図示されるように、Ｕ字状チャネル又はシュー２４の中心貫通穴２５は、ガラス手摺２２の底縁部に当接して場合によっては亀裂を生む又は損傷を与えることのないようにボルト２６のボルト頭部がＵ字状シュー２４の下部基壁２３の頂面３０よりも下に配設されるように、ボルト２６のボルト頭部及びワッシャ２７を受け入れて、段部上で支持するように寸法決めされ且つ構成される段部を含む。
【００４０】
[077]  図４ａ及び図４ｃは、ガラス手摺を屋根デッキ又はテラスなどに装着するための好ましい雨押え材、締結具、及び接着剤などを含む、アンカープラットフォーム組立体１０の分解組立断面図及び完全に装着された断面図をそれぞれ示す。図４ａに示されるように、アンカー基板１１は、その産業において標準的又は一般的である、木構造、金属構造、又は複合構造を有することができる屋根デッキ２１よりも上に位置決めされる。アンカー基板１１の円筒状支柱１６は、屋根デッキ２１における貫通穴３１に挿通されるように意図されており、同じく貫通穴３３を有する、好ましくはネオプレンから作られた従来のゴム製屋根膜３２は、好ましくは、アンカー基板１１と屋根デッキ２１との間に配置される。同様に、同じく好ましくはネオプレンから作られた、従来のゴム製屋根膜３４は、好ましくは、任意選択のシム板２８とアンカー基板１１の頂面１２との間に位置決めされ、また、ゴム製屋根膜３４には、ボルト２６が膜３４を通過できるように中心穴３６が設けられる。加えて、アンカー基板１１を屋根膜３２に接着接合して封着するために、通常、アンカー基板１１の底面１３に塗布される、シーラント層、セメント層、コーキング層、又は接着剤層３８が示されている。
【００４１】
[078]  また図４ｃに示されるように、接着剤、コーキング材、セメント、又は糊４０（及び／又は、任意選択的にクリップ）もまた、Ｕ字状金属チャネル２４内に受け入れられたガラス手摺２２の下端部を取り囲むように、Ｕ字状チャネル２４の内面に塗布される。同じく図４ｃに図示されるように、アンカー基板膜３４は、アンカー基板膜３４の端部が屋根膜３２に対して封着された状態でアンカー基板１１の全体にわたって延び、それによって、ねじ孔とアンカー基板１１の残り部分とを密封する。理解できるように、これらの雨押え材及び接着剤は、組立体を防水して屋根の雨漏りを防ぐ役割を果たす。
【００４２】
[079]  前述のように、このことは、屋根に対する物体の取付箇所において特に重要であり、この場合、取付箇所は、ボルト２６と、ボルト２６が受け入れられるねじ付き有底穴１７とを用いる、アンカー基板の円筒状支柱１６に対するガラス手摺用シュー２４の取付箇所を指す。穴１７が有底穴又は孔であり、且つ、円筒状支柱１６の底端部１９が閉じられているので、ガラスパネル２２とＵ字状チャネル２４との間に浸透して、円筒状支柱１６の穴１７に入る可能性があると考えられる水の潜在的な経路は、屋根デッキ２１を通り抜けることが完全に阻止される。
【００４３】
[080]  図５ａ及び図５ｂは、アンカー基板組立体の第２の実施形態を図示しており、同様に、この第２のアンカープラットフォーム組立体の実施形態の分解組立断面図及び完全に装着された断面図をそれぞれ示している。
【００４４】
[081]  この第２の実施形態に示される要素は、円筒状支柱１６’に狭い首部分３６が設けられ、且つ、基板１１’にねじ無し中心穴１４’が設けられるが、その他の点では、円筒状支柱１６’と基板１１’の両方が、先の実施形態に示される基板１１及び円筒状支柱１６と同一であることを除いて、図４ｂ及び図４ｃに示される要素と同じである。図４ｂ及び図４ｃでは、円筒状支柱１６の上端部１８は、典型的には、アンカー基板１１の底面１３に溶着されている。しかしながら、図５ａ及び５ｂでは、狭い首部３６は、アンカー基板１１’のねじ無し中心穴１４’内に受け入れられるように意図されており、この構造の結果として、より頑強でより強固な結合が作られる。より強固な結合は、前記アンカープレート１１’及び支柱１６’が溶着されるときに、溶着の前及び溶着の間、中心穴１４’への支柱１６’の縮径首部３６の当接及び受入れによって、それぞれの中心穴１４’及び雌ねじ付き穴１７’が、適切且つ完璧に整合されて保持されるという事実のためである。
【００４５】
[082]  図６及び図７は、アンカー基板組立体１０’’の第３の実施形態を図示しており、同様に、この第３のアンカープラットフォーム組立体の実施形態の分解組立断面図及び完全に装着された断面図をそれぞれ示している。この第３の実施形態に示される要素は、円筒状支柱１６’’の下部分３８には雄ねじが設けられているが、その他の点では、円筒状支柱１６’と同一であることを除いて、図５ａ及び図５ｂに示される要素と同じである。この実施形態では、ナット３９及びワッシャ４１は、図７に示される完全に組み立てられた状態において、ナット３９及びワッシャ４１は、より強固な取付箇所を提供し、同時に、円筒状支柱１６’’の有底穴１７’及び閉端部１９を用いて取付箇所で屋根の雨漏りを防止するために、金属屋根デッキ２１’の下面に対して締め付けられるように、円筒状支柱１６’’の雄ねじ面３８に螺合される。
【００４６】
[083]  ここで特に図８ａ〜図８ｍを参照すると、出願人のより以前に出願された一部継続出願ＰＣＴ出願ＰＣＴ／ＵＳ２０１９／０１８５９２号において示されて説明されたような、本発明による新規のスクリューアンカー及び締結具組立体（以下、全体として「スクリューアンカー」又は「スクリューアンカー組立体」と呼ばれる）のいくつかの実施形態が図示されている。図８ａ〜８ｃに示されるように、アンカー組立体１１０は、フラッシュスクリューアンカーであり、建設業界での種々の用途に特に有用である。フラッシュスクリューアンカー組立体１１０は、好ましくは、上面１１２と、反対側の下面１１３と、上面１１２及び下面１１３を通して延在する任意選択的に雌ねじが付けられた中心開口１１４とを有する、平面状基板、フランジ、又はワッシャ１１１を備える。さらに、スクリューアンカー組立体１１０は、好ましくは、アンカー基板１１１にしっかり固定されて、基板１１１の下面１１３から下向きに延在するねじ又はラグねじ１１６の形態の雄ねじ付き支柱も含む。図８ｂで最もよく示されるように、ねじ１１６の上部軸は、基板１１１の中心開口１１４と結合して、中心開口１１４と軸方向に整合された、軸方向に延びる雌ねじ付き中心穴１１７を含む。穴１１７は、ねじ１１６の雄ねじ付き上部軸の外径より小さい直径を有する。
【００４７】
[084]  ねじ１１６の穴１１７は、フランジ又は基板１１１の穴１１４によって画定される開いた頂端部と、ねじ１１６の軸の閉じた底端部１１９とを有する有底穴である。ねじ１１６及び基板１１１が、一体化された組み合わされたアンカー及び締結具組立体又は構成要素を形成するために、一体的に結合されることも好ましい。ねじ１１６は、溶着、プレスフィット接続を用いて、又は、ねじ１１６及び基板１１１が強固且つ頑強なアンカーを提供するために確実且つ堅固に締結されることを保証する任意の他の締結手段によって、基板１１１にしっかり固定することができる。
【００４８】
[085]  本明細書で説明されるこの実施形態及び他の実施形態に対して、本発明のスクリューアンカーの設置及び使用と関連付けて以下で示されて、論じられるように、通常は、図４ａ、４ｃ、５ａ、５ｂ、６、及び７に示されるような、ワッシャ２７とともに拡大頭部とねじ付き直線状縁部とを有するボルト２６の形態の締結具は、物体、又は物体の一部、又は物体に関連する付属構造物（付属構造物に関しては、たとえば、屋根手摺のためのガラスパネル２２を支持するのに使用されるＵ字状シュー２４を参照）が、アンカー基板１１１の上面１１２に対して迅速に確実に保持されるように、物体をアンカーに保持して確実に締結するために、穴１１７に螺合可能に受入れ可能である。これは好ましくは、物体、物体の一部、又は物体の付属構造物に貫通穴２５を設けることによって実現され、ボルト２６のねじ軸は、ボルト２６のねじ軸がスクリューアンカー１１０の有底穴１１７に螺入されて、物体をスクリューアンカーに確実に締結するために締め付けられる前に、貫通穴２５を通過する。
【００４９】
[086]  図８ｄ及び図８ｅは、図８ａ〜図８ｃに示されるフラッシュアンカー実施形態の修正を図示しており、凹状平頭ねじスロット又はポート１４３が、その中心穴１１７の両側のラグねじフラッシュアンカー１１０の上部の外面が平滑な拡大頭部部分１４４へと基板１１１の下方に延在する、基板１１１の中心穴１１４の両側に形成されており、平頭ねじ回し又は他のツール（図示せず）が前記スロット１４３に挿入可能となり、意図された支持構造体にアンカー１１０を螺合するための、又は、たとえば、アンカー１１０を建物支持構造体で移動させる必要がある場合に、意図された支持構造体からアンカー１１０を螺合可能に取り外すための、ねじ１１６の雄ねじ付き軸の回転を容易にする。
【００５０】
[087]  図８ｆ及び図８ｇは、図８ａ〜図８ｃに示されるスクリューアンカー組立体の別の修正を図示しており、平頭ねじ回しポート１４３の使用の代わりに、アレンキーポート１４５が設けられている。より詳細には、座ぐられた六角形の頭部空間が、ワッシャ１１１の頂面１１２から下向きに延在するラグねじアンカー１１０の上部の外面が平滑な拡大頭部部分１４４における有底穴１１７の頂端部の上に設けられる。ラグねじアンカー１１０の拡大円筒状頭部部分１４４は、アレンキーポート１４５を画定する六角形の内壁面１４６を有する。アレンキーポート１４５は、以下でより詳細に説明及び図示されるように、フラッシュスクリューアンカー１１０を、容易且つ螺合可能に支持構造物にねじ込むことができ、且つ、支持構造物から取り外すことができるアレンキー（図示せず）を受け入れるように設計されている。
【００５１】
[088]  本発明のスクリューアンカー組立体のさらに別の実施形態では、図８ｈ〜図８ｊに示されるように、基板２１１の上面２１２上にしっかりと固定された六角形の六角ナット２５０を有する六角頭ラグねじアンカー２１０が提供される。六角形の六角ナット２５０は、ねじ回しスロット、アレンキーポートなどと同じ目的にかない、それによって、アンカーの支持物への螺合又は支持物からの取り外しを容易にするために六角頭を把持するように構成されたソケットレンチ（図示せず）などのツールを使用することができる。外側の六角ナット２５０は好ましくは、一体化された構成要素を形成するために、溶着などによって、基板２１１に一体的に結合される。図８ｉで最もよく示されるように、外側の六角ナット２５０は、ラグねじ２１６の中心穴２１７及び基板２１１の穴２１４と軸方向に整合されて合致する雌ねじ付き中心貫通穴２５２を含む。アンカー２１０は、六角形状ナット２５０を有するとして図示及び説明されているが、他の多角形又は幾何学的形状が可能であり、本発明によって、以下でさらに開示されるように、考えられる。
【００５２】
[089]  ここで図８ｋ〜図８ｍを参照すると、全体として参照番号３１０で表される、本発明による新規の延長された細長い又は「長い首部の」ラグねじアンカー組立体のさらなる実施形態が図示されている。アンカー３１０は、上部平坦面３１２と反対側の下部平坦面３１３とを有する、好ましくは半径方向に延在するディスク状の環状基板、フランジ、又はワッシャ３１１を含み、下部平坦面３１３も好ましくは、ラグねじアンカー３１６の頂端部に溶着されている。いわゆる「延長された」又は「長い首部」３５０は、好ましくは溶着を用いて、その底端部でフランジ３１１に取り付けられた細長い中空のチューブ又は鍔を備える。或いは、開口３１４の直径が、フランジ３１１への溶着前に、首部３５０が通過できるだけ十分に大きい場合、長い首部３５０は、支柱３１６と一体で作ることができる。
【００５３】
[090]  首部３５０は好ましくは、略円筒状であるが、以下でさらに論じられるように、任意の特定の幾何学的形状に限定されない。図８ｍで最もよく示されるように、長い首部３５０は、アレンキーポート３２５を画定するために好ましくは六角形である、その開いた頂端部に隣接する内面３２４によって画定された中心穴を有し、内面３２４の下端部は、その下方に配設されたねじ付き内部貫通穴３２６と結合している。他の実施形態のように、アレンキーツール（図示せず）は、支持構造物への螺合及び支持構造物からの螺合を容易にして行うために、アレンキーポート３２４に挿入することができる。
【００５４】
[091]  図９ａは、フラッシュボルトアンカー組立体１１０’を図示し、図８ａ〜８ｇに示されるねじ付きフラッシュアンカーねじ１１６は、フランジ１１１に取り付けて、有底穴１１７を有するねじ付きボルト１１６’と置き換えられている。基板１１１が支持構造物の頂面に当接して面一となり、ねじ付きボルト１１６’の下端部が、支持構造物の貫通穴を通過して、ワッシャ３９及びナット４１をボルト１１６’上に配置及び螺合し、基板１１１とワッシャ３９と間に支持構造物を挟んで、確実に固定するように完全に締め付けることができるまで、ねじ付きボルト１１６’は、支持構造物にねじ込まれる。
【００５５】
[092]  図９ｂは、六角頭ボルトアンカー組立体２１０’を図示し、図８ｈ〜８ｊに示されるねじ付きねじ２１６は、有底穴２１７とフランジ２１１に取り付けられた六角ナット２５０とを有するねじ付きボルト２１６’と置き換えられている。ここでも、その基板２１１が支持構造物の頂面に当接して面一となり、ボルト２１６’が支持構造物を通過して、ワッシャ３９及びナット４１をボルト２１６’上に配置及び螺合し、その基板２１１とワッシャ３９との間に支持構造物を挟むことができるまで、ねじ付きボルト２１６’は、支持構造物にねじ込まれる。
【００５６】
[093]  図９ｃは、首部の長いボルトアンカー組立体３１０’を図示し、ねじ付きねじ３１６は、有底穴３１７とフランジ３１１に取り付けられた長い首部３５０とを有するねじ付きボルト３１６’と置き換えられている。その基板３１１が支持構造物の頂面（又は、一方側）に当接して面一となるまで、ねじ付きボルト３１６’は、支持構造物にねじ込まれる、及び／又は、挿通される。同時に、ボルト３１６’の下端部は、支持構造物の底部（又は、他方側）を通過して、ワッシャ３９及びナット４１をボルト３１６’上に配置及び螺合し、順に、基板３１１とワッシャ３０及びナット４２との間に挟まれる支持構造物にアンカー組立体３１０’を確実に固定することができる。
【００５７】
[094]  ここで図１０〜図１３を参照すると、特に、コンクリート基礎などのコンクリート及び組積の設置での使用のために修正された本発明の４つの実施形態が図示されている。図１０ａ、図１０ｂ、及び図１０ｃで分かるように、アンカープラットフォーム１０’’’実施形態のこの実施形態は、図１〜図７ｂのアンカー基板組立体に基づき、雌ねじ付きの幅の狭い首部分３５を有する図５ａ及び図５ｂのアンカー基板と、より詳細に比較可能であるが、その他の実施形態も適用可能である。示されるように、正方形の基板１１’’は略同じであるが、孔１５はなく、平滑な円筒状支柱１６’には、その頂端部１８及び底端部１９’で開いた雌ねじ付き貫通穴１７’が設けられる。支柱１６’の直径より大きい直径を有するワッシャ３９’は、ねじ自由端が円筒状支柱１６’のねじ付き貫通穴１７’の底部開端部１９’に螺合可能に受入れ可能であるボルト２６のねじ軸上に装着され、それによって、ボルト２６及びワッシャ３９’は、硬化するとき、セメント内に基板１１’及び支柱１６’を固定するアンカーの役割を果たす。理解できるように、アンカー基板の頂面１２’がセメント基盤又は基礎５０の上面５２と面一であるように基板１１’及び支柱１６’が設定されて位置付けられる前に、基板１１’及び支柱１６’はセメント内に入れられる。セメントが完全に固化すると、アンカー基板１１’及び円筒状支柱１６’は、ワッシャ３９’によって基礎にしっかりと固定される。さらに理解できるように、本実施形態では、図５ａ及び図５ｂの場合のようなねじ締結具２０などを使用する必要はなく、それは、任意選択的に設けられる場合、基板孔（図示せず）が、基板を周囲のセメントにさらに固定するためにセメントで満たされるためである。
【００５８】
[095]  セメント５０が完全に硬化して固化すると、アンカー基板組立体１０’’’は、図１０ｂ及び図１０ｃで最もよく分かるように、付属品に締結する準備ができている。この図示された例では、好ましくは木材から作られて、アンカー基板組立体１０’’’の貫通穴１７’と整合する中心及び垂直貫通穴６２を有するシルプレート６０が、基板１１’上に位置付けられ、次いで、ラグボルト２６’上に装着されたワッシャ２７を有するラグボルト２６’が、シルプレート６０を貫通する貫通穴６２に挿入され、ボルト２６’は、支柱１６’のねじ付き貫通穴１７’に螺合可能に受け入れられ、次いで、アンカー基板１１’、次に、セメント基礎５０にシルプレート６０を確実に取り付けるように締め付けることができる（図１０ｃ）。好ましくは、完全に挿入されて締め付けられたときに、ボルト２６’の頭部及びワッシャ２７が凹部６４内にあるように、シルプレート６０の頂部は、その貫通穴６２の上に凹部６４を有する。これにより、付属構造物、この場合には、二重側壁７０、７２を、シルプレート６０の頂部に面一に装着することができる。
【００５９】
[096]  当然ながら、基板１１’及び支柱１６’をセメント５０内に確実に固定する限り、アンカー１０’’’以外の他のアンカーの設計も使用可能であることに注目すべきである。さらに、図６及び７の雄ねじ付き支柱１６’’の実施形態も、場合によっては使用可能であり、その場合、雄ねじ付き支柱１６’’の端部に螺合可能に受入れ可能であるように寸法を決めされたナット３９及び拡大ワッシャ４１を使用して、アンカー基板組立体１０’’’のためのアンカーとしての役割を同様に果たすことができる。
【００６０】
[097]  ここで図１１ａ〜図１１ｃを参照すると、スクリュー式支柱１１６のねじ付き有底穴１１７の代わりに、実質的に円筒状支柱としての役割を果たすその垂直上脚部４３１に形成された中心内部ねじ付き有底穴４１７を有する、略Ｊ形ボルト状のＬ字状円筒状支柱４３０が使用されることを除いて、図８ａ〜８ｇのフラッシュアンカーに類似の、コンクリートの小さいフラッシュアンカー４００が図示されている。アンカーの役割を果たして、セメントの固化後、セメント内にアンカー基板４１１及び曲折支柱４３１をより確実に係止するために、その下脚部４３２は、角度αをなして配設される。いくつかの実施形態では、角度αは約９０度である。いくつかの実施形態では、下脚部４３２は、垂直上脚部４３１に対して代替の向き、たとえば、横断方向、及び／又は、鋭角若しくは鈍角などの他の角度方向、同軸で配設されてもよく、及び／又は、オフセットされてもよく、又は、互い違いにされてもよい。図１１ｂ及び１１ｃに示されるように、フラッシュアンカー４００は、ねじ付きラグボルト２６’及びワッシャ２７を使用して基板１１の上にシルプレート６０を取り付けるために、図１０ａ〜１０ｃのアンカー基板組立体１０’’’と同様に使用することができる。ここでも、ねじ付きラグボルト２６’は、シルプレート６０の貫通穴６２に挿通され、セメント５０が完全に固化した後、Ｌ字状支柱４３０の垂直アーム４３１の有底穴４１７に螺合可能に挿入され、次いで、二重側壁７０、７２は、シルプレート６０上に装着される。
【００６１】
[098]  図１２ａ、図１２ｂ、及び図１２ｃは、支柱３１６又は３１６’の代わりに、長い首部５５０の頂部自由端５１４に開いている、その垂直上脚部５３１の上部の長い首部分５５０に形成された中心雌ねじ付き有底穴５１７を有し、且つ、アンカー基板又はフランジ１１の底面５１３と面一である底部閉端部５１９を有する、Ｌ字状又はＪ形ボルト状の曲折円筒状支柱５３０も有することを除いて、首部の長いアンカー組立体５００のコンクリート実施形態を図示している。セメントの固化後、セメント内にアンカー基板５１１及び曲折支柱５３０をより確実に係止するために、その下脚部５３２は、その垂直脚部５３１に対してある角度をなして（好ましくは、その垂直脚部５３１に対して９０°で）配設される。図１２ｂ及び１２ｃで分かるように、首部が長いアンカー５００は、ねじ付きラグボルト２６’及びワッシャ２７を使用してコンクリート基礎５０の上にシルプレート６０を取り付けるために、フラッシュアンカー４００と同様に使用することができ、ねじ付きボルト２６’の頭部は、シルプレート６０の凹部６４に受け入れられ、また、シルプレート６０の貫通穴６２を通過し、セメントが完全に固化した後、Ｌ字状支柱５３０の垂直アーム５３１の長い首部分５５０の有底穴５１７に螺合可能に挿入される。
【００６２】
[099]  本実施形態では、長い首部延長部分５５０は、図１２ｃに示されるように、セメント基盤５０の頂面を越えて上向きに延在し、シルプレート６０の貫通穴６２の拡大断面を通って、少なくとも部分的に上向きに突出する。ねじ付きボルト２６’及びワッシャ２７は、シルプレート６０の凹部６４内に受け入れられ、そのねじ付きステムは、シルプレートを所定の位置に係止するために、長い首部５５０の有底穴５１７に、螺合可能に挿入される。ここでも、次に、二重側壁７０、７２などの付属品は、シルプレート６０上に面一に、装着及び締結することができる。
【００６３】
[100]  ここで図１３ａ及び図１３ｂを参照すると、コンクリートで使用するために修正されたねじ山６０５を有する、全体として参照番号６１０で表される、首部の長いアンカー組立体の別の変形形態が図示されている。アンカー６１０は、上部平坦面６１２と反対側の下部平坦面６１３とを有する、好ましくは半径方向に延在するディスク状の環状基板、フランジ、又はワッシャ６１１を含み、下部平坦面６１３も好ましくは、スクリューアンカー支柱６１６の頂端部に溶着される。いわゆる「延長された」又は「長い首部」６５０は、好ましくは溶着を用いて、その底端部でフランジ６１１の上面６１２に取り付けられた細長い中空のチューブ又は鍔を備える。ここでも、穴６１４が、溶着前に、長い首部６５０が通過できるだけ十分に大きい直径を有する場合、長い首部６５０は、支柱６１６と一体的に形成することもできる。
【００６４】
[101]  首部６５０は好ましくは、略円筒状であるが、以下でさらに論じられるように、任意の特定の幾何学的形状に限定されない。長い首部６５０は、その開いた頂端部６２４の下に隣接して配設される、アレンキーポート６２５を画定するために好ましくは六角形であるねじ付き中心穴６１７を有する。中心穴６１７は、基板６１１の底壁６１３で終了し、スクリューアンカー６１６内に延在しない。他の実施形態のように、アレンキーツール（図示せず）は、支持構造物への螺合及び支持構造物からの螺合を容易にして行うために、アレンキーポート６２５に挿入することができる。
【００６５】
[102]  ねじ山６０５は、コンクリートを係合するために構成される。いくつかの実施形態では、ねじ山６０５は、並目ねじ又は切り込みねじ山、及びダイヤモンド形の釘型ポイントを含む。セメントがすでに固化又は硬化されている用途については、穴がコンクリートに設けられ、従来の鉛遮へい物がその中に挿入及び装着されている。次いで、ねじ付き支柱は、鉛遮へい物内に装着され、それによって保持される。
【００６６】
[103]  図１３ｃは、コンクリートに装着された、図１３ａ及び図１３ｂに示される本発明の首部の長いアンカー組立体の部分断面の分解側面図であり、意図された枠組は、その上に配置されている。図１３ｄは、アンカー組立体が取り付けられる枠組又は壁構造物に対する設置された位置における、本発明の首部の長いアンカー組立体の、部分断面の側面図であり、アンカー組立体が通って延在する被覆も示し、被覆に対して面一に付属品を締結するアンカー組立体をさらに示す。
【００６７】
[104]  より詳細には、図１３ｃから分かるように、コンクリート基礎又は構造物５０が注入された後、アンカー組立体６１０は、アンカー組立体６１０のねじ軸６１６がセメントの頂面５２に対して垂直にセメント５０内で完全に延在するように、まだ硬化していないセメント５０内に置かれ、直立位置を想定するために位置付けられるアンカー組立体６１０のアンカー基板によって支援され、アンカー基板の頂面６１２はコンクリートベース又は構造物５０の頂面５２と面一である。
【００６８】
[105]  セメント５０が完全に硬化して固化すると、アンカー基板組立体６１０は、付属品、この図示された例では、長い首部６５０が通過できる垂直に延びる貫通穴６２を有するシルプレート６０に締結する準備ができている。次いで、ワッシャ２７を有するボルト２６は、物体又は付属構造物２４’の貫通穴２５’に挿入され、シルプレート６５を通って延在し、それにより、ボルト２６は、貫通穴６１７に螺合可能に受け入れられ、次いで、アンカー基板６１１、次に、セメント基礎５０にシルプレート６０及び物体２４’を確実に取り付けるために締め付けることができる。ここでも、アンカー組立体６１０は、通常は、コンクリートに予め穿孔された孔に装着された鉛遮へい物を使用して、すでに硬化及び固化したコンクリートのために使用される可能性がある。
【００６９】
[106]  図１４ａ及び図１４ｂは、本明細書で説明されるように、流体Ｆがアンカー基板組立体７１０の中を流れることを可能とするために、ホース７０６、７０８を用いて流体源とともに使用するために構成されたアンカー基板組立体７１０のさらなる実施形態を開示する。アンカー基板組立体７１０は、頂面７１２と底面７１３とを有するアンカー基板７１１を含む。円筒状支柱７１６には、支柱７１６の頂端部７２０及び底端部７２２の両方で開いている、雌ねじ付き又はねじ無しの貫通穴７１７が設けられる。支柱７１６は、基板７１１の上に配設された上部の長い首部分７５０と、基板７１１の下に配設された好ましくは部分的にねじが切られた下部分７１６とを含む。いくつかの実施形態では、貫通穴７１７はねじ面を含んでもよい。いくつかの実施形態では、貫通穴７１７は平滑面を含む。いくつかの実施形態では、支柱７１６はねじ面を含む。いくつかの実施形態では、支柱７１６は平滑面を含む。
【００７０】
[117]  端部７２０及び７２２は、それぞれ、ホース７０６、７０７との接続のために構成される。ホース７０６、７０７は、たとえば、クランプ、ねじ、スナップフィット、及び／又は摩擦嵌合などのさまざまな手段によって、端部７２０、７２２に連結することができる。示されるように、ホース７０６の端部７０７及びホース７０８の端部７０９はそれぞれ、端部７０７、７０９を支柱７１６の長い首部分７５０及び下部分の平滑な端部７２０、７２２にそれぞれ摩擦嵌合によって装着可能とするように構成されて、寸法決めされる。リブ（図示せず）は、把持を強化するために、ホース又は支柱の端部に設けられる可能性がある。いくつかの実施形態では、膜及び／又はフランジ７３０は、アンカー基板７１１の面７１２とホース７０６との間への配設のために構成される。膜７３０は、ホース７０５からの流体の漏出に耐える及び／又は防止するシールを提供するように構成される。いくつかの実施形態では、膜及び／又はフランジ７３２及び／又はコーキング材７３４は、アンカー基板７１１の面７１３と支持構造物７２４との間への配置のために構成される。膜７３２は、ホース７０６からの流体の漏出に耐える及び／又は防止するシールを提供するように構成される。
【００７１】
[108]  いくつかの実施形態では、ホース７０６、７０８及び支柱７１６を固定することにより、流体、たとえば、水が通過することが可能になり、同時に、支持構造体７２４に対して面一である基板７１１の下面７１３との頑丈且つ強固な結合を提供する。いくつかの実施形態では、この構成は、図１４ｂに示される注入されたセメント５０又は同等の合成モルタルに覆われ、木製ベース又は床ベース７２４との反対端で接続されて加熱水源につながる、輻射暖房システムで利用することができる。アンカー基板７１１は、アンカー基板７１１の支柱７１６、並びに支柱７１６のねじ付き上部に受けられるワッシャ３９及びねじ付きナット４１を用いて床７２４に取り付けられる。或いは、本明細書に開示される他のアンカーも、平滑であるかねじ付きであるかにかかわらず、且つ、直線状支柱であるか「Ｌ」又は「Ｊ」字状支柱であるかどうかにかかわらず、内部貫通穴を水又は流体ホース、パイプなどに接続するために内部貫通穴が両端に開口を有する支柱を通って延在する限り、内部貫通穴を介して比較可能な方法で、アンカーを通る水の流れを可能にするように同様に修正される可能性がある。同様に理解できるように、本明細書に示されるアンカー組立体は、上下反対に、横向きに、又は特定用途の必要性に基づくさまざまな向き及び形状を同様に想定できるコンクリート及び／又は支持構造物に対して任意の他の望ましい向きに、装着することもできる。
【００７２】
[109]  上記のように、アンカーの材料、アンカーの寸法、ねじ切り構成、及びサイズは、用途及び周辺の建築材料（たとえば、木材、コンクリート、鋼、アルミニウムなど）に依存する。コンクリートでは、セメントが固化するときにアンカーが所定の位置に係止されるように、アンカーは湿潤セメントに挿入することができる。或いは、アンカーがその中に螺合される前に、孔をコンクリートに予め穿孔してもよい。そのような場合、鉛遮へい物（図示せず）は任意選択的に、コンクリート孔に置かれ、アンカーは、鉛遮へい物を把持する開口に螺合される、又は、アンカーは、コンクリートのわずかに小さいパイロットホールに直接螺入される可能性がある。
【００７３】
[110]  同様に、締結具、膜、雨押え材、及びシーラントのタイプも、支持面と適合するように選択されることが期待される。また、さまざまな実施形態の要素は、必要に応じて互いに置き換えられてもよい。固定及び締結組立体を、頑丈な固定、耐水シールがきわめて重要である他の建物建設作業のために利用することも可能であることがある。
【００７４】
[111]  上記図は、単に本開示の原理の適用の説明のためものであることが理解されるべきである。多数の修正又は代替的な配置が、本開示の趣旨及び範囲から逸脱することなく、当業者によって考案されてもよい。よって、本開示は図面に示されて、特殊性及び詳細とともに上で説明されたが、サイズ、材料、形状、形態、動作の機能及び方法、組立、並びに使用の変化を含むが、これらに限定されない多数の修正が、本明細書に示される原理及び概念を逸脱しない範囲で行われてもよいことは、当業者には明らかであろう。
【００７５】
[112]  前述は、ガラス柵、避雷針、接地ケーブル、及び太陽電池パネルのためのＬ字状ブラケットとの使用について示されたアンカー基板及びスクリューアンカー組立体の使用を特に説明及び図示したが、それらは、屋根又は他の建物付属品、たとえば、アンテナ、テレビ衛星放送受信アンテナ、ＨＶＡＣユニットなどの多種多様な他の物体を支持構造物に固定及び支持するために使用することもできる。
【００７６】
[113]  図４ａの議論において簡単に触れたように、本明細書で説明されたさまざまな実施形態の雌ねじ付き円筒状の有底穴を用いて、物体を支持構造物上に装着するために、「平行」ねじ山を有する円筒状の機械的締結具を使用することは重要である。より詳細には、このタイプの機械的締結具は、いわゆる「平行」ねじ山を有する、すなわち、頭部及び円筒状ねじ棒を有するボルト、並びに、頭部のない丸棒形状スタッドである。これは、いわゆる「テーパ」ねじ山を有する「円錐形状」ねじと区別される。平行ねじを有するそのような円筒状ボルト又はスタッド締結具の使用により、直線状縁部も有する支柱の雌ねじ付き円筒状有底穴内への受入れを用いて、さまざまな程度の保持力を実現するための、変化する長さ及び幅の適合する締結具の強固な結合及び融通性が保証される。対照的に、補助孔１５を用いてアンカー基板を支持部に取り付けるのに使用される機械的締結具は、一般に、「テーパ」ねじ山を有するねじを含む任意のタイプであってもよい。
【００７７】
[114]  前述から同様に理解できるように、アンカー基板の形状及び数、支柱の形状、タイプ、及び数、雄ねじ付きであるか平滑であるか、ねじ無し貫通穴、ねじ付き有底穴の使用、並びに、その配置は、屋根又は他の建物支持構造物の性質、サイズ、及び材料（たとえば、金属、木材、又は他の複合材料）などの、特定用途の特定の詳細に応じて修正することもできる。たとえば、支柱の長さ又は高さの好ましい範囲は、どこでも、０インチ（面一）〜１８インチであってもよい。同様に、締結具、膜、雨押え材、及びシーラントのタイプも、屋根又は建物構造物と適合するように選択されることが期待される。また、さまざまな実施形態の要素は、必要に応じて互いに置き換えられてもよい。
【００７８】
[115]  さらに、隆起した六角形の六角形スクリューアンカーを除くアンカーは、好ましくは、アンカーを支持構造物にしっかりと固定する又は取り外すために、平頭ねじスロット又はアレンキーポートを用いるがその代わりに、スタービットなどの他の手段が、アンカーの建物支持体へのねじ込みの際、及び／又は、アンカーの建物支持体からの取り外しの際に、ユーザを支援するために使用される可能性がある。
【００７９】
[116]  さまざまな部品及び要素の寸法は、必要に応じて、又は、好ましいように、変えることができることにも留意すべきである。たとえば、円筒状の二重支柱の上支柱及び下支柱は通常、直径を有し、好ましくは１／８インチ〜２インチの範囲にある。たとえば、一方の支柱は１／２インチの幅を有する可能性があり、他方の支柱は３／４インチの幅を有する可能性がある、又は、それらは同じ幅を有する可能性がある。当然、上部分及び下部分の直径は、要望通り、互いに対してより大きく、又は、より小さくすることができる。ナットは好ましくは、１／２インチ〜３インチであるが、典型的な標準寸法は、３／４インチであってもよい。基板の厚さは、必要に応じて、変化してもよく、たとえば、好ましくは、１／１６インチ〜１インチであるが、好ましくは１／４インチである。ナットが取り付けられたボルト又はナットが分離したボルトが使用可能であり、本明細書で交換可能に使用されてもよい。好ましい実施形態では、支柱は１／２インチの外径を有し、支柱の内部穴は３／８インチの直径を有する。スクリューアンカーは、約１／１６インチの幅又は厚さ、及び、約１と１／２インチの直径を有してもよい。しかしながら、上記のように、基板フランジ及び穴の寸法は、支柱及び支柱の内部穴の長さと同様に変えることができる。
【００８０】
[117]  基板及び支柱などのアンカー組立体の構成要素の材料も、ステンレス鋼、アルミニウム、青銅、銅、プラスチックなどの金属、又は複合材料を含む、さまざまな材料から作ることができる。基板及びその支柱、並びに、スクリューアンカー及びそれらのフランジは、一体化された構成要素として一体的に形成されることも好ましい。しかしながら、支柱は、溶着又は他の手段を用いて、基板にしっかりと固定することができることは理解されよう。
【００８１】
[118]  同様に、締結具、膜、雨押え材、及びシーラントのタイプも、支持面と適合するように選択されることが期待される。また、さまざまな実施形態の要素は、必要に応じて互いに置き換えられてもよい。固定及び装着組立体を、注入されたコンクリート又は暖房床を除いて、たとえば、庭の噴出口及びホース、シンク、シャワー、並びに他の給水システムなどの、屋内及び／又は屋外の両方の用途のための、たとえば、多種多様な他の配管用途のための、頑丈な固定、耐水シール、及び／又は正確且つ安易な設置がきわめて重要である他の建物建設作業のために利用することも可能であることがある。
【００８２】
[119]  したがって、本発明の特定の実施形態について説明してきたが、先行技術が許容する範囲と同程度に本発明の範囲が広いことと、本明細書も同じように解釈されることとが意図されているので、本発明が特定の実施形態に限定されることは意図されていない。それゆえ、本発明の趣旨又は範囲から逸脱することなく、特定の実施形態に他の修正を加えることができることは、当業者によって理解されるであろう。
【図１】
2021535301.tif 000003
【図２】
2021535301.tif 000004
【図３】
2021535301.tif 000005
【図４ａ】
2021535301.tif 000006
【図４ｂ】
2021535301.tif 000007
【図４ｃ】
2021535301.tif 000008
【図５ａ】
2021535301.tif 000009
【図５ｂ】
2021535301.tif 000010
【図６】
2021535301.tif 000011
【図７】
2021535301.tif 000012
【図８ａ】
2021535301.tif 000013
【図８ｂ】
2021535301.tif 000014
【図８ｃ】
2021535301.tif 000015
【図８ｄ】
2021535301.tif 000016
【図８ｅ】
2021535301.tif 000017
【図８ｆ】
2021535301.tif 000018
【図８ｇ】
2021535301.tif 000019
【図８ｈ】
2021535301.tif 000020
【図８ｉ】
2021535301.tif 000021
【図８ｊ】
2021535301.tif 000022
【図８ｋ】
2021535301.tif 000023
【図８ｌ】
2021535301.tif 000024
【図８ｍ】
2021535301.tif 000025
【図９ａ】
2021535301.tif 000026
【図９ｂ】
2021535301.tif 000027
【図９ｃ】
2021535301.tif 000028
【図１０ａ】
2021535301.tif 000029
【図１０ｂ】
2021535301.tif 000030
【図１０ｃ】
2021535301.tif 000031
【図１１ａ】
2021535301.tif 000032
【図１１ｂ】
2021535301.tif 000033
【図１１ｃ】
2021535301.tif 000034
【図１２ａ】
2021535301.tif 000035
【図１２ｂ】
2021535301.tif 000036
【図１２ｃ】
2021535301.tif 000037
【図１３ａ】
2021535301.tif 000038
【図１３ｂ】
2021535301.tif 000039
【図１３ｃ】
2021535301.tif 000040
【図１３ｄ】
2021535301.tif 000041
【図１４ａ】
2021535301.tif 000042
【図１４ｂ】
2021535301.tif 000043
【国際調査報告】
2021535301.tif 000044
2021535301.tif 000045
2021535301.tif 000046
2021535301.tif 000047
2021535301.tif 000048
2021535301.tif 000049